(57)【特許請求の範囲】
【請求項１】
第一座席、第二座席、これら第一、第二座席間の第一列コンソールからなる第一着座列と、
第一座席、第二座席、これら第一、第二座席間の着座コンソール装置からなる第二着座列を備える車両インテリアであって、前記着座コンソール装置は、
座席基板と座席背部を備える座席と、
この座席に結合し、第一着座列の第一列コンソールと係合するように形成された第二列コンソールであって、前記第二列コンソールと前記座席背部は二重目的コンポーネントとして形成されているものと、を備え、
前記着座コンソール装置は、前記二重目的コンポーネントを前記座席基板に対して回転することにより、座席を展開し前記第二列コンソールを収納する着座形態と、前記第二列コンソールを展開し前記座席を収納するコンソール形態との間で構成可能であり、且つ、  前記座席及び第二列コンソールは、前記座席及び第二列コンソールの一方の動きが、他方の動きに関連付けられるよう構成され、
前記第一列コンソールは、前記着座コンソール装置がコンソール形態にあるとき、前記着座コンソール装置の前記第二列コンソールの一部を収容するように形成された窪みを備える
車両インテリア。
【請求項２】
前記着座コンソール装置がコンソール形態にあるときの展開位置と、前記着座コンソール装置が着座形態にあるときの収納位置との間で動作するように構成された遮蔽パネルをさらに備え、
前記展開位置において、前記遮蔽パネルは前記第二列コンソールの一部をカバーすることを特徴とする請求項１に記載の車両インテリア。
【請求項３】
前記遮蔽パネルは、前記収納位置から展開位置へ動作するとき、前記第一着座列の前記第一列コンソールから、前記着座コンソール装置に向かって後方へ移動することを特徴とする請求項２に記載の車両インテリア。
【請求項４】
前記パネルは、前記着座コンソール装置がコンソール形態にあるとき、前記着座コンソール装置の前記第二列コンソールと前記車両インテリアの床の間に位置することを特徴とする請求項３に記載の車両インテリア。
【請求項５】
前記座席基板に結合し、前記着座コンソール装置がコンソール形態にあるとき、前記座席基板を下げるように構成された関節機構をさらに備えることを特徴とする請求項１に記載の車両インテリア。
【請求項６】
展開位置から収納位置への前記座席背部の移動が、前記関節機構を作動させて前記座席基板を下げることを特徴とする請求項５に記載の車両インテリア。
【請求項７】
前記第二着座列は第一外側座席と第二外側座席を備え、前記第一外側座席は前記第二着座列の幅の約４０％を占め、前記第二外側座席は前記第二着座列の約４０％を占め、前記着座コンソール装置は前記第二着座列の幅の約２０％を占めることを特徴とする請求項１に記載の車両インテリア。
【請求項８】
第三着座列をさらに備えることを特徴とする請求項１に記載の車両インテリア。
【請求項９】
前記第二列コンソールは、アームレスト、収納ビン、カップホルダー、動力用ポート、データ用ポート、コントロールまたはこれらの組み合わせの少なくとも１つまたは複数を備えることを特徴とする請求項１に記載の車両インテリア。
【請求項１０】
前記第一着座列は、車両の着座の前方列であることを特徴とする請求項１に記載の車両インテリア。
【請求項１１】
前記着座コンソール装置は、基板フレームと、前記座席背部、座席基板、および基板フレームに結合され、座席背部と座席基板間の動作を伝達するように構成された作動機構とをさらに備える請求項１に記載の車両インテリア。
【請求項１２】
前記作動機構は第一リンク部材と第二リンク部材から構成され、前記第一リンク部材は座席基板に結合した第一端部と、座席背部に結合した第二端部と、基板フレームに結合した中間部とを備え、前記第二リンク部材は座席基板に結合した第一端部と、基板フレームに結合した第二端部とを備えることを特徴とする請求項１１に記載の車両インテリア。
【請求項１３】
前記第一リンク部材の第一端部と前記第二リンク部材の第一端部は座席基板のスロットと係合する第一ピンに結合し、第一リンク部材の中間部は基板フレームのスロットと係合する第二ピンに結合し、第一リンク部材の第二端部は回動可能に座席背部に結合することを特徴とする請求項１２に記載の車両インテリア。
【請求項１４】
前記座席基板は、第一ピンと座席基板上のスロットとの係合および第二ピンと基板フレーム上のスロットとの係合によって動作し、案内されるように構成されることを特徴とする請求項１３に記載の車両インテリア。
【請求項１５】
前記座席背部は、座席背部の回動動作を制限するために基板フレーム上のスロット中に延びるストップピンを備えることを特徴とする請求項１１に記載の車両インテリア。
【請求項１６】
前記第一列コンソールは、前記着座コンソール装置が着座形態にあるときの収納位置と前記着座コンソール装置がコンソール形態にあるときの展開位置との間で動作可能な遮蔽パネルをさらに備え、
前記遮蔽パネルは、前記展開位置において、前記第二列コンソールの一部をカバーすることを特徴とする請求項１に記載の車両インテリア。
【請求項１７】
前記第二列コンソールは、基板と、前記基板に結合され、前記着座コンソール装置が着座形態にあるときの収納位置と前記着座コンソール装置がコンソール形態にあるときの展開位置との間で動作可能な延材部をさらに備えることを特徴とする請求項１に記載の車両インテリア。
【請求項１８】
前記延材部は、前記第一列コンソールと係合するように収納位置と展開位置間で直線的にスライドすることを特徴とする請求項１７に記載の車両インテリア。
【発明の詳細な説明】
【技術分野】
【０００１】
この出願は、２００６年８月３日に米国において出願された国際出願ＰＣＴ／ＵＳ２００６／０３０４０２号の国内段階出願であり、該国際出願は「構造可変着座コンソ−ル装置」という名称のもとに２００５年８月４日に出願された米国仮特許出願第60/705,717号の優先権を主張し、それらの全ての内容をここに引用により一体化する。
【０００２】
本発明は、構造可変着座コンソ−ル装置に関する。より具体的には、協調した機械式または動力式動作で床コンソールに変換する着座列装置に関する。
【背景技術】
【０００３】
２つの外側座席間に配置されたセンターコンソールを着座の第二列に備えることが知られている。このような公知第二列センターコンソールは通常一部の高級車にのみ使用されている。この第二列センターコンソールはこれら前方座席間に配置されたセンターコンソールと連結することもできる。このような配置は、第二列の乗員の利便性と機能性にスポーテイあるいは豪華な外観をもたらすことを意図している。しかしながら、このような固定式第二列コンソールは車両内の座席スペースや他の自由度を制限することになる。
【０００４】
また、機能的な、またはコンソール表面を提供するために、揺動する第二（または、第三等）列着座のアームレストを具備することも知られている。このような公知アームレストは配置位置まで揺動するとコンソール機能（例えば、収納エリア、カップホルダ）を有するアームレストから構成されるようにしても良い。しかしながら、このような公知アームレストでは、固定式第二列、センターコンソールがもたらす、特定の優れた特徴（および／または特徴の組み合わせ）や望ましい外観を実現することができなくなる。例えば、このような公知のアームレストには、アームレストや座席の揺動外形を示すスペースや隙間があるが、これらの隙間や外形は固定式第二列、センターコンソールに好ましい外観を与えるものではない。
【発明の開示】
【発明が解決しようとする課題】
【０００５】
従って、構造可変着座コンソール装置を供給することは好ましいことになる。また、ベンチ式着座と分割式着座の間に形成（再設定、変形等）できる着座コンソール装置に外側座席間のコンソールを提供することは好ましいことである。システムがコンソール形態に設けられるとむき出しになるかもしれないスペースや隙間に対する遮蔽を装置に提供することはさらに好ましいことになる。隣接する（外側の）座席とほぼ垂直に整列する上方表面を有するコンソールを提供することはさらに望ましいことになる。また、展開されると座席の構成要素や外形をカバーしたり、隠したり、目立たなくしたりすることによって車両インテリアの固定形態に見えるコンソール形態を提供することはさらに好ましいことである。さらに垂直高式コンソールが外側の座席とほぼ整列するように座席を下げることができる関節機構を提供することは望ましい。上述の関連および他の問題を避けることのできる低価格で、信頼性のある、広範囲の用途を有する構造可変着座コンソール装置を提供することによって、従来技術に比べて遥かに進んだ技術を提供することになる。
【課題を解決するための手段】
【０００６】
本発明は着座列で使用され、着座形態とコンソール形態間で形状が変化する着座コンソール装置に関する。この装置は座席基板と座席背部からなる座席と、座席背部の反対側に取り付けられたコンソールから構成される。この座席背部は着座形態を提供する第一の位置と着座列を分割するコンソール形態を提供する第二の位置の間で回動する。
【０００７】
本発明はまた、車両インテリアに関する。この車両インテリアは第一座席、第二座席、これら第一、第二座席間の第一列コンソールからなる第一着座列と、第一座席、第二座席、これら第一、第二座席間の着座コンソール装置からなる第二着座列とを有する。この着座コンソール装置は座席基板、座席背部、座席に結合し、第一着座列の第一列コンソールと係合するように形成された第二列コンソールとからなる座席を有する。この着座コンソール装置はこの座席を展開しこのコンソールを収納する着座形態とこのコンソールを展開し、この座席を収納するコンソール形態間で変形できるように構成される。
【０００８】
本発明はさらに、開示された実施例に示され、記述された各種特徴と特徴の組み合わせに関する。開示された実施例の目的と特徴が達成される他の形態は、以下の明細書に記述されるものであり、またこの明細書を読んだ当該技術の当業者にとって明確になるものである。このような他の形態は以下に示す特許請求の範囲内にあれば、開示した実施例の範囲内に入ることになる。
【発明を実施するための最良の形態】
【０００９】
図１と図２は好ましい実施例による着座コンソール装置１０を示す。着座コンソール装置１０は図１と図４Ａに示されるように着座形態（即ち、位置、状況、状態等）において変形（再設定）でき、図２と図４Ｂに示されるようにコンソール形態（即ち、位置、状況、状態等）において変形（再設定）可能になっている。好ましい実施例によれば、装置１０は、２つの座席（即ち、中間着座位置）に配置されている。この装置１０は第二、第三列等に使用されても良い。車両は、自動車（例えば、セダン、クーペ等）、バンまたは“ミニバン”、トラック、スポーツユーテリテイカー（ＳＵＶ）等である。別の実施例によれば、この装置は、車両内の任意の各種位置および各種列に配置することができる。着座コンソール装置１０は着座構成要素１２、コソール構成要素１４および関節機構１６からなる。着座コンソール構成要素１２，１４は着座とコンソールの２重機能を備えることができ、これらの用途の一方に寄与するようにしても良い。着座状態において、着座構成要素１２が展開され、コンソール構成要素１４が収納される。コンソール状態において、着座構成要素１２が収納され、コンソール構成要素１４が展開される。
【００１０】
着座構成要素１２は座席クッションすなわち、基板１８、座席背部すなわち、後部レスト２０、ヘッドレスト２２を有する。各構成要素は基板またはフレーム、発泡体または他のタイプのパデイングおよびカバー（例えば、皮、レザー、ビニール、繊維等）を備えることができる。
【００１１】
コンソール構成要素１４は基板２４とアームレスト２６からなる。基板２４は通常コンソールに求められる１つまたは複数の特徴、例えば、カップホルダー３０、トレイ、種々の収納エリア（例えば、ドアーやパネルを介してアクセスできる、または出来なくてもよいビン３４）、動力用またはデータ用ポート、コントロール（例えば、エンターテインメント、ＨＶＡＣ（即ち、暖房、換気、および空調）、窓、暖房座席等）等を有している。アームレスト２６は好ましくは揺動し、直線方向に調整（車両前後方向）できるように構成される。アームレスト２６は基板２４に結合または取り付けられても良いし、別に車両に取り付けられても良い。
【００１２】
好ましい実施例によれば、二重目的または機能部品は後部レスト２０（装置１０が着座形態にあるとき）またはコンソール１４（装置１０がコンソール形態にあるとき）の一方を提供するために移動可能に構成される（回動、揺動等）。着座構成要素１２および／またはコンソール構成要素１４は協調して動くように構成されている（例えば、関節機構１６によって）。例えば、収納状態と展開状態間でのコンソールの動きが他の構成要素を他の位置に関節接合する。関節機構１６は着座状態とコンソール状態の間で座席および／またはコンソールの協同動作（例えば、形成、再形成、変形等）を提供するように構成された実施例に応じて、１つまたは複数の揺動軸、スライド、ガイド、リンケージ、ピボット、部材等を通常備えている。好ましい実施例によれば、関節機構１６は図４Ａ−図４Ｂあるいは図５Ａないし図５Ｅに示されるように多重棒リンケージ（例えば、４棒リンケージ）を含む。
【００１３】
図４Ａと図４Ｂにおいて、関節機構１６は着座形態（図４Ａ）とコンソール形態（図４Ｂ）間で座席を車両下方に回動または揺動し、座席背部またはコンソールを回動または揺動させるように構成されている。関節機構は座席フレーム５０、後部レストコンソールフレーム５２、第一リンクアームまたは部材５４、第二リンクアームまたは部材５６からなる。第一と第二リンク部材の対応するセットが基板フレーム５８の反対側で、座席フレーム５０、座席背部コンソールフレーム５２に配置される。座席フレーム５０は第一リンク部材５４、第二リンク部材５６、揺動支持アーム６０、およびピンまたは軸６１によって基板フレーム５８に結合される。ピン６１は、座席フレーム５０がピン６１を中心にして揺動または回動するように座席フレーム５０の後側部を基板フレーム５８に結合させる。支持アーム６０は立ち上がった位置で座席フレーム５０の位置決めと支持を行い、下方位置にあるとき案内動作を行うものである。後部レストコンソールフレーム５２は第一リンク部材５４と揺動ピン６２によって基板フレーム５８に結合される。第一リンク部材５４は、基板フレーム５８の側面にあるスロット６６とピン６４との係合により摺動可能に基板フレーム５８に結合している。第一リンク部材５４の第一端部６８と第二リンク部材５６の第一端部７０は摺動可能に座席フレーム５０の側面にあるスロット７４に係合するピン７２によって座席フレーム５０に結合される。第一リンク部材５４の第二端部７６は基板フレーム５８の上方側面部でスロット８６に係合して後部レストコンソールフレーム５２から延びるピン７８によって基板フレーム５８に結合される。第二リンク部材５６の第二端部８０は回動可能または揺動可能にピン８２によって基板フレーム５８に結合される。スロット６６および／またはスロット７４は座席フレーム５０および／または座席コンソールフレーム５２の好ましい動作に応じて直線的にまたは曲線的に構成される。好ましい実施例によれば、第一リンク部材５４は１つの部材または棒によって形成される。あるいは、第一リンク部材はピン６４によって一体に結合された一対の部材であっても良い。
【００１４】
着座形態において、ピン６４はスロット６６の前方端部８８にあり、ピン７２はスロット７４の前方端部９０にあり、ピン８４はスロット８６の前方（且つ下方）端部９２にある。装置が着座形態からコンソール形態に再設定されると、後部レストコンソールフレーム５２はその上部が車両に対して前方に、座席に対して下方に回動するようにユザーによって押されまたは引かれる。後部レストコンソール５２はピン６２を中心にして揺動し、それによってピン８４をスロット８６に沿って移動またはスライドさせ、第一リンク部材５４の第二端部７６を後方に移動させて、ピン６２を中心にして回転し、ピン６４をスロット６６に沿って移動またはスライドさせ、ピン７２をスロット７４に沿って移動またはスライドさせる。このピン７２のスロット７４に沿った移動によって座席フレーム５０がピン６１を中心にして揺動し、座席フレームの前部が下方に揺動することになる。コンソール形態においては、ピン６４はスロット６６の後方端部９４にあり、ピン７２はスロット７４の後方端部９６にあり、ピン８４はスロット８６の後方端部（および上方）９８にある。これらの揺動およびスライドが、２重目的部品（後部レスト２０とコンソール１４）の動作を抑制および／または促進する、摩擦および／またはスプリング負荷を供給することができる。
【００１５】
別の実施例では、着座構成要素１２とコンソール構成要素１４の動作が協同されていないものである（例えば、関節機構１６によって）。例えば、収納と展開に対して作業者（例えば、乗員）によって別々に作動と入力がおこなわれる。別の実施例ではコンソール形態を作り出すため座席１８または後部レスト２０のみの関節作動を行うことができる。あるいは、着座コンソール装置は異なるレベルの変形を有するようにしても良い（例えば、前部コンソール１４０に結合せず、座席背部エリアを塞いでしまう等）。さらに別の実施例では、コンソール形態を提供するため展開工程または作動を付加することにより、前方コンソール４０を後方に延ばすことによりコンソール“ルック”を作り出しても良い。後部レストコンソールフレーム５２は、またスロット８６内（および／または貫通して）に延びるピン８４によって基板フレーム５８に結合される。ピン８４は、後部レストコンソールフレーム５２が揺動または回動するにつれてスロット８６内をスライドし、これらは後部レストコンソールフレーム５２の動作を案内し制限するストップを提供するように協働するように構成されている。
【００１６】
図５Ａないし５Ｅは、コンソール形態と着座形態間での着座コンソール装置１１０の動作の一連の概略代表例を示す。別の実施例では、コンソール構成要素１１４は前方床コンソール１４０の表面１３８と係合するコンソール部１３６を有している。遮蔽パネル１２８は展開と収納状態の間で前方コンソール１４０から外側に移動またはスライドする。展開位置において、パネル１２８の端部はコンソール基板１２４の一部と接するか、そこで終わっている。別の実施例では、コンソール部１３６と前方コンソール１４０とが互いに係合するように構成しても良い（例えば、スナップまたはラッチ式結合）。装置１１０は作動機構１１６の案内動作によって着座形態（図５Ａ）とコンソール形態（図５Ｄと図５Ｅ）間で作動する（例えば、移動、関節動作等）。機構１１６は第一リンク部材１５４、第二リンク部材１５６、第三リンク部材１５７からなる。第一リンク部材１５４はピン１８１、１８２（座席１１８に対する結合部材１５４）を中心にして揺動する。第二リンク部材１５６はピン１６４（座席１１８に対する結合部材１５６）とピン１８４（第三リンク部材１５７に対する結合部材１５６）を中心にして揺動する。第三リンク部材１５７は第一ピン１６７（第二部材１５６に対する結合部材１５７）とピン１５９（後部レスト１２０に対する結合部材１５７）を中心にして揺動する。コンソール形態に移動すると座席１１８は下がる。アームレスト１２６は部材１６３と１６５を中心にして揺動することによって上がったり下がったりできる。
【００１７】
図６と図７は好ましい実施例による着座コンソール装置２１０を示す。着座コンソール装置２１０は図６に示されるように着座状態において（すなわち、位置、状況、形態等）また、図７に示されるようにコンソール状態において（位置、状況、形態等）変形可能（再変形）となっている。
【００１８】
好ましい実施例によれば、装置２１０は、２つの座席（即ち、中間着座位置）間に配置されている。この着座コンソール装置２１０は第二列２５２、第三列等に使用されても良い。別の実施例によれば、この装置は、車両内の種々の任意の位置および列に配置することができる。着座コンソール装置２１０は着座構成要素２１２、コンソール構成要素２１４および関節機構２１６からなる。シートベルトシステム２６０を備えることもできる。  着座コンソール構成要素２１２，２１４は着座とコンソールの２重機能を有しても良いし、これらの用途の一方に寄与するようにしても良い。着座状態において、着座構成要素２１２が展開され、コンソール構成要素２１４が収納される。コンソール状態において、着座構成要素２１２が収納され、コンソール構成要素２１４が展開される。
【００１９】
着座構成要素２１２は座席クッションすなわち、基板２１８、座席背部すなわち、後部レスト２２０、ヘッドレスト２２２を有する。コンソール構成要素２１４は基板２２４、アームレスト２２６、１つまたは複数の遮蔽部材２５８（例えば、パネル、ドアー、スクリーン等）を有する。基板２２４は通常コンソールに求められる１つまたは複数の特徴、例えば、カップホルダー、トレイ２３２、種々の収納エリア（例えば、ドアーやパネルを介してアクセスできる、または出来なくてもよいビン）、動力用又はデータ用ポート、コントロール（例えば、エンターテインメント、ＨＶＡＣ（即ち、暖房、換気、および空調）、窓、暖房座席等）等を備える。アームレスト２２６は好ましくは揺動し、直線的に調整（車両前後方向）できるように構成される。
【００２０】
遮蔽部材２５８は車両インテリアの固定物であるコンソールの望ましい外観と不釣合いな隙間、スペース、および／または構造（例えば、座席、関節機構等を示す曲面）が目立たないように（例えば、隠したり、カバーしたり、スクリーンしたり等）形成される。例えば、コンソール延在部２３６の下方にあるエリアまたはスペースは、コンソール形態で前方床コンソールと係合したときに、１つまたは複数の遮蔽パネル２５８によって目立たないようになる。遮蔽部材２５８は前方座席、変形座席、隣接座席、前方コンソール２４０から延びる、またはスライドするパネルであっても良く、あるいはこれらの任意の部品から揺動または回動するパネルであっても良い。実施例によれば、遮蔽部材２５８は車両乗員に対する利便性や特徴を付加するように構成されたレイル上にトンネルを形成し、見えない収納を形成し、後部コンソールの遮蔽を行う。コンソールは収納された、および展開された両方の位置において隙間、スペース、係合等が最小化されるように車両内の固定物の外観を維持することを意図している。
【００２１】
図８と図９に示される実施例によると、関節機構３１６は固定式主取り付け構造ブラケット３４４、第一リンケージ３４６、第二リンケージ３４８、第三リンケージ３５０を有する。第一リンケージ３４６は座席３１８を主取り付けブラケット３４４の端部に結合し、立ち上がりと立下り位置間で座席を案内するように構成される。第二リンケージ３４８は後部レスト３２０を座席基板３１８に結合し、座席後部レストを主取り付けブラケット３４４に結合する。好ましくは、ピン３５４は主取り付けブラケット３４４から延在しスロット３５６（例えば、直線状、曲線状、アーク上に形成することができる溝、ノッチ等）と係合し、コンソール延在部３３６が展開されると立下りの、格納位置へ座席３１８を案内促進するように構成される。第三リンケージ３５０は遮蔽部材３２８をコンソール基板３２４に結合し、収納位置と展開位置の間で動作（例えば、回動、揺動等）するように構成される。コンソール延在部３３６は前方床コンソール３４０と係合または接するように前進する。後部レスト３２０は、コンソール基板４２４とコンソールが外方へ回動し、展開位置になるように上方へ揺動する。コンソール基板３２４は展開位置へ回動すると、外側へ回動するコンソール延在部４２６（例えば、パネル、部材等）を有している。
【００２２】
実施例によれば、種々の部品が使用され、座席とその装置を従来の通常車両デザイン（例えば、４０／２０／４０分割；６０／４０分割；座席背部／クッション分割等）の種々の形態の車両に取り付けるようにできる。実施例によれば、この装置は従来の折りたたみ式着座形態のラッチ機構と同様な機構を利用することができる。好ましくは、ラッチ機構は座席背部と座席クッション間の境界面近くに設けられる。実施例によれば、これらの座席は、移動して（例えば、分離して）コンソール装置の展開を可能とするように構成することができる。これらの座席が分離されると、コンソールはそれから展開位置に持ち上げられる。ドア支持上の開放着座式機構は開位置と閉位置間で動くと、座席上のたるみを吸収するように構成される。
【００２３】
図１０は前方床コンソール４４０の係合を示す別の実施例による着座コンソール装置４１０の側面図である。後部レスト４２０は、コンソール基板４２４とコンソールが外側へ（下方へ）揺動して展開位置になるように軸心４２１を中心にして上方に揺動する。コンソール基板４２４は、軸心４２５を中心にして展開位置へ回動すると、軸心４２７を中心にして外側へ回動するコンソール延在部４２６（例えば、パネル、部材等）を有する。後部レスト４２０は後方下方に揺動してこれら座席の背後のスペースに遮蔽２８を提供する。
【００２４】
座席やコンソールの材料は通常車両着座やコンソール用に使用される種々の材料のうちいずれをも使用できる。例えば、インジェクション成形高濃度ポリエチレンはコンソールの部品を製造する好ましい方法と材料であるが、例えば、以下の熱可塑性樹脂等の他の材料も、使用することができる。ポリプロピレン、他のポリエチレン、アクリルニトリールブタジエンステイレン（ＡＢＳ）、ポリウレタンナイロン、種々の単一ポリマーのいずれか、共重合体樹脂、特定付加物を持つ樹脂、充填樹脂等である。また他の成形法を用いて、例えば、ブロー成形、回転成形等によってこれらの部品を成形することもできる。関節機構の部品は、スチールやアルミニウムのような型打合金材あるいは樹脂から製造することができる。
【００２５】
一般に、開示した実施例は座席の第一列の背後で使用され、着座形態とコンソール形態間で変形できる着座コンソール装置を対象としている。この装置は着座部品とこの着座部品と協働するコンソール部品からなる。少なくともこの着座部品の一部はコンソール形態を供給するため可動になっており、少なくともこのコンソール部品の一部は着座形態を供給するため可動になっている。これら開示した実施例は座席の第一列の背後で使用され、着座形態とコンソール形態間で変形できる着座コンソール装置をさらに対象としている。この装置は着座部品とコンソール部品からなる。この着座部品は座席基板とこの座席基板に結合した後部レストからなる。このコンソール部品は基板、この基板に結合した延材部及び遮蔽部材からなる。この遮蔽部材は装置が着座形態にあるときの収納位置と装置がコンソール形態にあるときの展開位置の間で移動可能である。この座席基板は装置がコンソール形態に再設定されるときに移動し（例えば、外側座席に対して下方に）、リンク配置によって案内されるように構成することができる。この基板はコンソール基板と共通構造とすることができる。
【００２６】
好ましい例や他の実施例に示された変形可能な着座コンソール装置の構成要素の構造と配置はまた例証に過ぎないことに注意することは重要なことである。この開示では本発明の実施例のほんのいくつかのみを詳細に記述したが、この開示を検討する当該技術の当業者は、示された主題の新規な教示と効果から大きく逸脱せずに多くの変形例（種々の構成要素においてサイズ、寸法、構造、形、釣り合い、パラミターの値、取り付け配置、材料の使用、色、方向等の変更）が可能であることを容易に察知できるであろう。例えば、一体的に形成されて示された構成要素は多数の部品から構成しても良いし、多数の部品として示された構成要素は一体的に構成されても良いし、境界面の作動は反対になっても良いし、他に変更しても良いし、この装置の構造および／または部材、コネクター、他の構成要素の長さまたは幅は変更でき、構成要素間に設けられた調整位置の性質または数は変更可能である（例えば、係合スロットの数、係合スロットのサイズ、係合のタイプの変更によって）。なお、この装置の構成要素および／または組立て体は充分な強度または耐久性を備える種々の任意の材料から形成され、その材料は種々な色、生地および組み合わせのいずれから構成することができる。従って、このような変形例のすべては特許請求範囲に含まれること意図している。他の代替、変形例、変更、省略は特許請求の範囲の精神から逸脱することなく、好ましい且つ他の実施例におけるデザイン、動作状態、配置において実施することができる。
【図面の簡単な説明】
【００２７】
【図１】着座形態にある着座コンソール装置を有する車両インテリアの斜視図である。
【図２】コンソール形態にある図１に示される着座コンソール装置を有する車両インテリアの斜視図である。
【図３】他の形態と配置における収納アームレスト部品を有する図２に記載の着座コンソール装置の斜視図である。
【図４Ａ】着座形態とコンソール形態間で移動する図１と図２に示される着座コンソール装置の側面図である。
【図４Ｂ】着座形態とコンソール形態間で移動する図１と図２に示される着座コンソール装置の側面図である。
【図５Ａ】着座形態とコンソール形態間で移動する、実施例の着座コンソール装置の側面図である。
【図５Ｂ】着座形態とコンソール形態間で移動する、実施例の着座コンソール装置の側面図である。
【図５Ｃ】着座形態とコンソール形態間で移動する、実施例の着座コンソール装置の側面図である。
【図５Ｄ】着座形態とコンソール形態間で移動する、実施例の着座コンソール装置の側面図である。
【図５Ｅ】着座形態とコンソール形態間で移動する、実施例の着座コンソール装置の側面図である。
【図６】別の実施例による着座形態とコンソール形態にある着座コンソール装置の斜視図である。
【図７】別の実施例による着座形態とコンソール形態にある着座コンソール装置の斜視図である。
【図８】別の実施例による着座形態とコンソール形態にある着座コンソール装置の斜視図である。
【図９】別の実施例による着座形態とコンソール形態にある着座コンソール装置の斜視図である。
【図１０】別の実施例による着座コンソール装置の側面図である。
【図１】
0005478064.tif 000002
【図２】
0005478064.tif 000003
【図３】
0005478064.tif 000004
【図４Ａ】
0005478064.tif 000005
【図４Ｂ】
0005478064.tif 000006
【図５Ａ】
0005478064.tif 000007
【図５Ｂ】
0005478064.tif 000008
【図５Ｃ】
0005478064.tif 000009
【図５Ｄ】
0005478064.tif 000010
【図５Ｅ】
0005478064.tif 000011
【図６】
0005478064.tif 000012
【図７】
0005478064.tif 000013
【図８】
0005478064.tif 000014
【図９】
0005478064.tif 000015
【図１０】
0005478064.tif 000016